(57)【要約】【課題】配信サービス利用希望者の入手希望に沿った広告情報のみを表示可能とし、広告企業にとってはターゲットを絞った効率的な企業広告サービスを可能とする、広告配信システムを提供する。【解決手段】広告配信サーバに対して移動通信端末から所定の更新タイミングで、入手希望の条件に合致する広告情報の送信を要求する広告情報要求を行う。広告配信サーバにおいては、広告主より提供された広告情報の中から入手希望の条件に合致する広告情報を検索し、検索された広告情報を移動通信端末に送信する。これにより、広告配信希望者に、リアルタイム配信などの細やかな希望に沿った広告情報の取得が可能になると共に、広告企業にとっては、自企業の広告情報を欲する配信サービス利用希望者にピンポイントで情報提供が可能となることで効率的な広告活動の展開が可能となる。【選択図】　　　　図２
2004145614.tif 000002
【特許請求の範囲】
【請求項１】
入手希望の条件に合致する広告情報の更新タイミングを生成する更新タイミング生成手段と、前記更新タイミング生成手段により生成された更新タイミングに応答して、前記入手希望の条件に合致する広告情報の送信を要求する広告情報要求手段と、前記広告情報要求手段による要求に基づいて送信される広告情報を受信し、表示する広告情報表示手段と、を有する移動通信端末と、
広告主より提供された広告情報の中から前記入手希望の条件に合致する広告情報を検索する広告情報検索手段と、前記広告情報要求手段による要求に従って、前記広告情報検索手段により検索された広告情報を前記移動通信端末に送信する広告情報送信手段と、を有する前記移動通信端末が通信可能なネットワーク上に配置されたサーバと、
を含むことを特徴とする広告配信システム。
【請求項２】
前記移動通信端末に送信すべき広告情報を前記サーバに送信するための広告主端末を、更に、含むことを特徴とする請求項１に記載の広告配信システム。
【請求項３】
前記広告情報検索手段は、前記移動通信端末の所在位置に応じた広告情報を検索することを特徴とする請求項１又は２に記載の広告配信システム。
【請求項４】
前記移動通信端末からの広告情報の送信の要求から広告情報の受信に伴う通信料を、前記サーバに課金する課金装置を、更に、有することを特徴とする請求項１〜３のいずれか１項に記載の広告配信システム。
【請求項５】
前記サーバは、各移動通信端末の前記広告情報要求手段により入力される入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信手段を、更に、有することを特徴とする請求項１〜４のいずれか１項に記載の広告配信システム。
【請求項６】
移動通信端末との通信可能なネットワーク上に配置されて該移動通信端末へ広告情報を配信する広告配信サーバであって、
広告主より提供された広告情報の中から入手希望の条件に合致する広告情報を検索する広告情報検索手段と、
前記移動通信端末により所定の更新タイミングで送信される広告情報の要求に従って、前記広告情報検索手段により検索された広告情報を前記移動通信端末に送信する広告情報送信手段と、
を有することを特徴とする広告配信サーバ。
【請求項７】
前記広告情報検索手段は、前記移動通信端末の所在位置に応じた広告情報を検索することを特徴とする請求項６に記載の広告配信サーバ。
【請求項８】
各移動通信端末より入力される前記広告情報の入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信手段を、更に、有することを特徴とする請求項６又は７に記載の広告配信サーバ。
【請求項９】
ネットワーク上の外部装置から広告情報が配信される移動通信端末であって、
入手希望の条件に合致する広告情報の更新タイミングを生成する更新タイミング生成手段と、前記更新タイミング生成手段により生成された更新タイミングに応答して、前記入手希望の条件に合致する広告情報の送信を要求する広告情報要求手段と、前記広告情報要求手段による要求に基づいて送信される広告情報を受信し、表示する広告情報表示手段と、を有することを特徴とする移動通信端末。
【請求項１０】
ネットワーク上の外部装置から広告情報が配信される移動通信端末を制御する移動通信端末プログラムであって、
入手希望の条件に合致する広告情報の更新タイミングを生成する更新タイミング生成ステップと、前記更新タイミング生成ステップにおいて生成された更新タイミングに応答して、前記入手希望の条件に合致する広告情報の送信を要求する広告情報要求ステップと、前記広告情報要求ステップによる要求に基づいて送信される広告情報を受信し、表示する広告情報表示ステップと、を有することを特徴とする移動通信端末プログラム。
【請求項１１】
移動通信端末への広告配信方法であって、
前記移動通信端末が入手希望の条件に合致する広告情報の更新タイミングを生成する更新タイミング生成ステップと、
前記移動通信端末が前記更新タイミング生成ステップにおいて生成された更新タイミングに応答して、前記入手希望の条件に合致する広告情報の送信を要求する広告情報要求ステップと、
前記移動通信端末が通信可能なネットワーク上に配置されたサーバにおいて、広告主より提供された広告情報の中から前記入手希望の条件に合致する広告情報を検索する広告情報検索ステップと、
前記広告情報要求ステップにおける前記移動通信端末からの要求に従って、前記広告情報検索ステップにおいて検索された広告情報を前記サーバから移動通信端末に送信する広告情報送信ステップと、
を含み、前記広告情報を受信した移動通信端末において広告情報を表示することを特徴とする広告配信方法。
【請求項１２】
前記広告情報検索ステップにおいては、前記移動通信端末の所在位置に応じた広告情報を検索することを特徴とする請求項１１に記載の広告配信方法。
【請求項１３】
前記移動通信端末からの広告情報の送信の要求から広告情報の受信に伴う通信料を、前記サーバに課金する課金ステップを、更に、有することを特徴とする請求項１１又は１２に記載の広告配信方法。
【請求項１４】
各移動通信端末の前記広告情報要求ステップにおいて入力される入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信ステップを、更に、有することを特徴とする請求項１１〜１３のいずれか１項に記載の広告配信方法。
【発明の詳細な説明】
【０００１】
【発明の属する技術分野】
本発明は広告配信システム、広告配信サーバ、移動通信端末、移動通信端末プログラム、及び、広告配信方法に関し、特に移動通信端末への広告配信を行うための広告配信システム、広告配信サーバ、移動通信端末、移動通信端末プログラム、及び、広告配信方法に関する。
【０００２】
【従来の技術】
従来、移動通信端末あるいはパーソナルコンピュータ等のネットワークに接続されて通信を行う端末への企業広告の配信は、プル型やプッシュ型などと呼ばれる方法を用いて行われている。
プル型の広告配信は、例えば、インターネット上の各サイトにおいて広告情報へのリンクが張られたバナー等を表示することにより、興味を持ったユーザが当該バナーをクリックした場合に、バナーに関連する広告情報を取得することができるようにするものなどがある。
【０００３】
また、プッシュ型の広告配信は、例えば、広告主が特定又は不特定のユーザに対して広告情報を掲載したメールを送信する等によって、ユーザに広告情報を配信する。
しかしながら、上述のような従来の広告配信においては、まず、広告企業はユーザの興味有無に関係なく情報を配信しなくてはならず非効率であるという問題があった。すなわち、広告効果を大きくするためには、多くのユーザにメールを送信したり、多くのサイトにバナーを表示したりする必要がある。このため、興味のないユーザに、メールが送信されたり、バナーが表示されることとなる。これはユーザ側からすれば、興味の無い情報の配信は迷惑であるだけでなく、興味ある情報を含む場合にも吟味することなく当該広告情報が掲載されたメールを廃棄するなどの結果を招いていた。
【０００４】
このような問題に鑑みてターゲットを絞った広告配信を行うために、例えば特許文献１のように、プッシュ型配信において、ユーザについての情報を広告配信サイトに登録し、広告主から広告情報の配信依頼を受けた広告配信サイトが興味を持ちそうなユーザに広告を配信する方法などもある。
【０００５】
【特許文献１】
特開２００１−３１２５０８号公報（第１図）
【０００６】
【発明が解決しようとする課題】
しかし、上記特許文献１の場合にも、広告情報の配信前にあらかじめユーザ登録を行う必要があり、ユーザが多くの広告情報から１つ１つの広告情報について選んで受信することはできない。また、広告情報の内容のみでなく、広告の配信周期等ユーザの細かい希望に沿った広告配信を行うことができない。更に、個々のユーザに広告情報を配信するためにユーザ情報を登録する必要があり、セキュリティ面においても問題がある。
【０００７】
これは、プル型の広告配信においても同様に、リアルタイムで興味のある情報の入手が困難であり、ユーザが目的とする広告情報を入手することが困難であるなどの課題があった。
本発明の目的は、配信サービス利用希望者の入手希望に沿った広告情報のみを表示可能とし、広告企業にとってはターゲットを絞った効率的な企業広告サービスを可能とする、広告配信システム、広告配信サーバ、移動通信端末、移動通信端末プログラム、及び、広告配信方法を提供することにある。
【０００８】
【課題を解決するための手段】
本発明の請求項１による広告配信システムは、入手希望の条件に合致する広告情報の更新タイミングを生成する更新タイミング生成手段と、前記更新タイミング生成手段により生成された更新タイミングに応答して、前記入手希望の条件に合致する広告情報の送信を要求する広告情報要求手段と、前記広告情報要求手段による要求に基づいて送信される広告情報を受信し、表示する広告情報表示手段と、を有する移動通信端末と、
広告主より提供された広告情報の中から前記入手希望の条件に合致する広告情報を検索する広告情報検索手段と、前記広告情報要求手段による要求に従って、前記広告情報検索手段により検索された広告情報を前記移動通信端末に送信する広告情報送信手段と、を有する前記移動通信端末が通信可能なネットワーク上に配置されたサーバと、
を含むことを特徴とする。
【０００９】
ここで、入手希望の条件は、例えば、広告情報の内容や、入手方法に関する条件である。
本発明の請求項２による広告配信システムは、請求項１において、前記移動通信端末に送信すべき広告情報を前記サーバに送信するための広告主端末を、更に、含むことを特徴とする。
【００１０】
本発明の請求項３による広告配信システムは、請求項１又は２において、前記広告情報検索手段は、前記移動通信端末の所在位置に応じた広告情報を検索することを特徴とする。
本発明の請求項４による広告配信システムは、請求項１〜３のいずれか１項において、前記移動通信端末からの広告情報の送信の要求から広告情報の受信に伴う通信料を、前記サーバに課金する課金装置を、更に、有することを特徴とする。
【００１１】
本発明の請求項５による広告配信システムは、請求項１〜４のいずれか１項において、前記サーバは、各移動通信端末の前記広告情報要求手段により入力される入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信手段を、更に、有することを特徴とする。
【００１２】
本発明の請求項６による広告配信サーバは、移動通信端末との通信可能なネットワーク上に配置されて該移動通信端末へ広告情報を配信する広告配信サーバであって、
広告主より提供された広告情報の中から入手希望の条件に合致する広告情報を検索する広告情報検索手段と、
前記移動通信端末により所定の更新タイミングで送信される広告情報の要求に従って、前記広告情報検索手段により検索された広告情報を前記移動通信端末に送信する広告情報送信手段と、
を有することを特徴とする。
【００１３】
本発明の請求項７による広告配信サーバは、請求項６において、前記広告情報検索手段は、前記移動通信端末の所在位置に応じた広告情報を検索することを特徴とする。
本発明の請求項８による広告配信サーバは、請求項６又は７において、各移動通信端末より入力される前記広告情報の入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信手段を、更に、有することを特徴とする。
【００１４】
本発明の請求項９による移動通信端末は、ネットワーク上の外部装置から広告情報が配信される移動通信端末であって、
入手希望の条件に合致する広告情報の更新タイミングを生成する更新タイミング生成手段と、前記更新タイミング生成手段により生成された更新タイミングに応答して、前記入手希望の条件に合致する広告情報の送信を要求する広告情報要求手段と、前記広告情報要求手段による要求に基づいて送信される広告情報を受信し、表示する広告情報表示手段と、を有することを特徴とする。
【００１５】
本発明の請求項１０による移動通信端末プログラムは、ネットワーク上の外部装置から広告情報が配信される移動通信端末を制御する移動通信端末プログラムであって、
入手希望の条件に合致する広告情報の更新タイミングを生成する更新タイミング生成ステップと、前記更新タイミング生成ステップにおいて生成された更新タイミングに応答して、前記入手希望の条件に合致する広告情報の送信を要求する広告情報要求ステップと、前記広告情報要求ステップによる要求に基づいて送信される広告情報を受信し、表示する広告情報表示ステップと、を有することを特徴とする。
【００１６】
本発明の請求項１１による広告配信方法は、移動通信端末への広告配信方法であって、
前記移動通信端末が入手希望の条件に合致する広告情報の更新タイミングを生成する更新タイミング生成ステップと、
前記移動通信端末が前記更新タイミング生成ステップにおいて生成された更新タイミングに応答して、前記入手希望の条件に合致する広告情報の送信を要求する広告情報要求ステップと、
前記移動通信端末が通信可能なネットワーク上に配置されたサーバにおいて、広告主より提供された広告情報の中から前記入手希望の条件に合致する広告情報を検索する広告情報検索ステップと、
前記広告情報要求ステップにおける前記移動通信端末からの要求に従って、前記広告情報検索ステップにおいて検索された広告情報を前記サーバから移動通信端末に送信する広告情報送信ステップと、
を含み、前記広告情報を受信した移動通信端末において広告情報を表示することを特徴とする。
【００１７】
本発明の請求項１２による広告配信方法は、請求項１１において、前記広告情報検索ステップにおいては、前記移動通信端末の所在位置に応じた広告情報を検索することを特徴とする。
本発明の請求項１３による広告配信方法は、請求項１１又は１２において、前記移動通信端末からの広告情報の送信の要求から広告情報の受信に伴う通信料を、前記サーバに課金する課金ステップを、更に、有することを特徴とする。
【００１８】
本発明の請求項１４による広告配信方法は、請求項１１〜１３のいずれか１項において、各移動通信端末の前記広告情報要求ステップにおいて入力される入手希望の条件についての情報に基づいて、広告情報の入手の傾向を判別し、各移動通信端末に応じてあらかじめ前記広告情報の送信の要求が予測される広告情報についての案内を該移動通信端末に送信する案内送信ステップを、更に、有することを特徴とする。
【００１９】
【発明の実施の形態】
次に、図面を参照して本発明の実施の形態について説明する。なお、以下の説明において参照する各図においては、他の図と同等の部分が同一符号によって示されている。
図１は、本実施の形態にかかる広告配信システムの構成を示すものである。同図に示されるように、本実施の形態における広告配信システムは、広告配信希望者１の希望者端末１１と、広告配信事業者２の広告配信サーバ２１と、複数の企業の広告主３の広告主端末３１と、を含んで構成されている。
【００２０】
希望者端末１１は、広告配信システムにおける広告配信を希望する広告配信希望者１が利用する移動通信端末であり、本実施の形態においては、移動通信網Ｎを介してインターネットへの接続機能も有している。広告配信希望者１は、インターネットを介して、広告配信サーバ２１に接続することにより希望の広告情報を受信し、希望者端末１１の画面に表示することができる。
【００２１】
広告配信サーバ２１は、上述のように希望者端末１１と接続されて広告情報を送信する。また、広告配信事業者２は複数の広告主３から広告情報管理を一括受託しており、広告配信サーバ２１は広告主端末３１に接続されて、広告主３から提供される広告情報を管理する。広告配信希望者１は、複数社の企業広告の中から特定の広告を選択して表示することができる。
【００２２】
以下、図２〜図７を参照して、広告配信システムにおける広告配信の仕組み、及び、システムの各構成要素の詳細な構成について説明する。
図２には、本実施の形態にかかる広告配信システムにおける希望者端末１１及び広告配信サーバ２１の動作とそれらの通信シーケンスを説明する図が、図３には、希望者端末１１の構成を説明するブロック図が、図４には、広告配信サーバ２１の構成を説明するブロック図が示されている。
【００２３】
図３に示されるように、希望者端末１１は、更新タイミング生成部１１ａと、広告情報要求部１１ｂと、広告情報表示部１１ｃと、を含んで構成されている。更新タイミング生成部１１ａは、入手希望の条件に合致する広告情報の更新タイミングを生成する。この更新タイミング生成部１１ａは、広告配信希望者により更新タイミングの条件を指定可能とすることにより、広告配信希望者のライフスタイル等に合わせて適切な間隔で更新することができる。この更新タイミングとしては、例えば、所定の時間周期や、折りたたみ式の移動通信端末を開いたとき等の所定の動作を契機として、更新する。更新タイミングの監視は、例えば、後述のような常駐化可能な広告取得プログラムを移動通信端末において実装することによって実現する。
【００２４】
広告情報要求部１１ｂは、更新タイミング生成部１１ａにより生成された更新タイミングに応答して、あらかじめ広告配信希望者によって入力された入手希望の条件に合致する広告情報の送信を要求する。
広告情報表示部１１ｃは、広告情報要求部１１ｂによる要求に基づいて送信される広告情報を受信し、表示する。
【００２５】
又、図４に示されるように、広告配信サーバ２１は、広告情報検索部２１ｂと、広告情報送信部２１ｃと、データ保持部２１ａと、広告情報登録部２１ｄと、を含んで構成されている。
広告情報検索部２１ｂは、広告主より提供された広告情報の中から入手希望の条件に合致する広告情報を検索する。
【００２６】
広告情報送信部２１ｃは、希望者端末１１に通信可能に接続されて、希望者端末１１の広告情報要求部１１ｂによる要求に従って、広告情報検索部２１ｂにより検索された広告情報を希望者端末１１に送信する。
データ保持部２１ａは、広告主から提供される広告情報を保持すると共に、後述するように、希望者端末に生成・送信する広告取得プログラムを生成する際に用いる位置情報プログラム、周期プログラムなどを格納する。
【００２７】
広告情報登録部２１ｄは、広告主端末に通信可能に接続されて、広告主端末より送信される広告情報をデータ保持部２１ａに登録する。
図２に戻り、上述の希望者端末１１及び広告配信サーバ２１を用いた広告配信システムにおけるそれらの動作と通信シーケンスについて説明する。
まず、ステップＳ２０１においては、希望者端末１１から携帯電話事業者のインターネットメニュー４１経由で、広告配信サーバ２１に対して広告情報登録要求を行う。
【００２８】
広告配信サーバ２１では、希望者端末１１の趣味嗜好に合った広告の選択、表示（画面）内容の更新周期などの広告配信希望者毎のカスタマイズ条件の選択・登録を広告情報の選択・登録処理（ステップＳ１０２１）にて実施する。これにより、広告配信サーバ２１において、広告取得プログラムが生成される（ステップＳ１０２２）。広告取得プログラムは、希望者端末１１にダウンロードすることにより（ステップＳ２０２）、当該希望者端末１１にて広告配信希望者毎のカスタマイズ条件に沿った広告情報を受信、表示するためのプログラムである。この広告取得プログラムは、例えば、移動通信端末において動作するアイアプリ（登録商標）、ＪＡＶＡ（登録商標）アプリなどのアプリケーションプログラムを常駐する待ち受け画面に利用した待ち受けアプリケーションとして構成する。この広告取得プログラムを生成する広告配信サーバ２１の動作、及び、広告取得プログラムの動作については後述する。
【００２９】
広告取得プログラムのダウンロード後、希望者端末１１においてダウンロードされた広告取得プログラムを起動する（ステップＳ１０１１）。例えば、待ち受けアプリケーションを用いる場合には、広告配信希望者１の端末操作により、「活性化」、「非活性化」の切り替え処理において、「活性化」を選択する。
広告取得プログラムを起動した希望者端末１１は、広告情報の選択・登録処理（ステップＳ１０２１）にて選択した広告情報の更新を、周期的に広告配信サーバ２１へ要求する。広告配信サーバ２１は、対応する更新データをデータ保持部より選択し、希望者端末１１へ送信する（ステップＳ１０２３）。これを受信した希望者端末１１は、当該更新データに基づいて、新しい広告情報を画面Ｇに表示する（ステップＳ１０１２）。この更新の周期は、広告情報の選択・登録処理（ステップＳ１０２１）にて登録した周期に従う。
【００３０】
図５には、この広告情報の選択・登録処理（ステップ１０２１）において登録された内容に従って、広告配信サーバ２１による広告取得プログラムの生成を説明するための図が示されている。
同図に示されるように、広告配信サーバ２１のデータ保持部には、広告プログラム格納ＤＢ（データベース）２２と、位置情報プログラム格納ＤＢ２３と、周期プログラム格納ＤＢ２４と、を含んで構成されている。広告プログラム格納ＤＢは、広告主より提供される広告情報を、広告取得プログラムの雛形となる広告プログラムとして登録する。位置情報プログラム格納ＤＢ２３は、広告配信希望者が入力する広告情報の入手希望の条件の１つとして、位置に応じた広告情報の入手を希望した場合に、当該位置に応じた広告情報の入手を行うための位置情報プログラムを格納する。例えば、特定の位置を指定した広告情報の入手を行うことを指定した場合には、当該特定位置における広告情報を入手するための動作を行い、希望者端末１１の所在位置における広告情報を入手を行うことを指定した場合には、当該動作を行うためのプログラムが広告取得プログラムにマージ（結合）される。同様に、周期プログラム格納ＤＢ２４にも、更新タイミングを各広告配信希望者の指定する条件に従った動作を可能にするプログラムが格納される。これらのプログラムを広告配信希望者の希望に従って結合することにより、広告取得プログラムが生成される。
【００３１】
このように、広告配信サーバ２１において、広告配信希望者の入手希望の条件に合致する広告情報を取得するためのプログラムを生成することにより、希望の広告情報の選択と共に、自動的に当該選択した広告情報を希望の更新タイミングで受信・表示可能となる。
図６には、希望者端末１１における広告取得プログラムの動作がフローチャートに示されている。
【００３２】
ステップＳ６０１においては、上述のように、広告配信希望者によって指定された更新タイミングの条件に従って、更新タイミングか否かの判断を行う。更新タイミングである場合には（Ｙｅｓ）、ステップＳ６０２に移行する。それ以外の場合には（Ｎｏ）、再び更新タイミングの監視を行う。
ステップＳ６０２においては、ステップＳ６０１において生成された更新タイミングに応答して、広告配信希望者に入力された入手希望の条件に合致する広告情報の送信を要求する。上述のように、この広告情報の更新を行うための要求動作は、広告取得プログラムに組み込まれ、既に受信した広告情報についての更新が可能になっている。
【００３３】
ステップＳ６０３においては、ステップＳ６０２における更新要求に基づいて送信される広告情報を受信し、表示する。
次に、図７を用いて、本実施の形態にかかる広告配信システムにおける広告配信事業者２及び広告配信サーバ２１と、広告主３及び広告主端末３１と、の通信シーケンス、及び、それらの動作について説明する。
【００３４】
広告配信事業者２は企業広告の配信を希望する複数の広告主３との間に広告情報登録契約を結ぶ（ステップＳ３０１）。広告配信サーバ２１は、各社より提供された広告プログラムに、配信周期起動プログラムを組み込みパッケージ化した広告取得プログラムの登録・更新を実施する（ステップＳ３０２）。広告配信サーバ２１では、希望者端末１１からの起動要求に従い、広告取得プログラムのダウンロード、更新（ステップＳ３０３）を行う。
【００３５】
図８は、本実施の形態にかかる広告配信システムのビジネスポイントについて示すものである。
広告配信希望者１は、自分の趣味嗜好にあった企業の広告情報を定期的に入手可能となる。希望者端末からの広告情報の送信の要求から広告情報の受信に伴う通信料は、図示せぬ課金装置によって、広告配信事業者に課金さえれ、広告配信に掛かる通信費は広告配信事業者２が支払う。
【００３６】
広告配信事業者２は、複数の広告主３と契約し、企業広告の代行配信、更新、および、サーバによる一元管理業務を行い契約料、登録料、および通信費４０１を広告主３より徴収する。ただし、広告情報４０２の配信に伴う移動電話通信料４０４は広告配信事業者２にて携帯電話事業者４へ支払い、広告配信事業者２は広告情報毎の利用状況に応じた通信費を広告主３より徴収する。
【００３７】
広告主３はリアルタイムにピンポイントで当該企業の広告情報４０２を受信した広告配信希望者１からの購入４０３チャンスが望まれる。
図９には、第２の実施形態にかかる広告配信システムが示されている。
本実施の形態においては、広告配信サーバ２１が、広告配信希望者１の広告情報の選択・登録（ステップＳ２０２１）処理時の趣味嗜好情報を内部又は外部に保持するデータベース２５に蓄積する。これにより、広告配信希望者１の嗜好情報の分析（ステップＳ２０２４）が可能となり、分析結果より広告配信希望者１の嗜好情報傾向が判明する。これに基づき、広告配信希望者１毎のニーズに適合した新着広告情報を広告配信希望者１へメール案内通知（広告新着情報）を送付する（ステップＳ２０４）。
【００３８】
【発明の効果】
以上説明詳細に説明したように、本発明にかかる請求項１に記載の広告配信システム、及び、請求項１１に記載の広告配信方法によれば、広告情報の取得をユーザ側から広告配信サーバ側へ要求することにより、ユーザにおいて自分の興味のある広告情報を選択し、リアルタイム配信などの細やかな希望に沿った広告情報の取得が可能になると共に、広告企業にとっては、自企業の広告情報を欲する配信サービス利用希望者にピンポイントで情報提供が可能となることで効率的な広告活動の展開が可能となる。
【００３９】
本発明にかかる請求項２に記載の広告配信システムによれば、広告主からは、広告配信サーバへ広告情報を送信するのみで、複数のユーザへの広告配信を行う手間やコストを軽減することができる。また、広告情報を更新するときも広告配信サーバの情報を更新するのみで、最新の情報をユーザにリアルタイムに配信することができる。
【００４０】
本発明にかかる請求項３に記載の広告配信システム、及び、請求項１２記載の広告配信方法によれば、ユーザ端末の所在位置に応じた広告情報を受信、表示することができ、より有効な広告情報を得ることができる。
本発明にかかる請求項４に記載の広告配信システム、及び、請求項１３に記載の広告配信方法によれば、ユーザの広告情報入手に伴う通信料を不要とすることができ、ユーザの広告配信システムの利用を図ることができる。
本発明にかかる請求項５に記載の広告配信システム、及び、請求項１４に記載の広告配信方法によれば、広告配信システムにおいて蓄積される情報を利用することにより、より効率的な広告配信が可能になる。
【図面の簡単な説明】
【図１】本実施の形態にかかる広告配信システムの構成を示す図である。
【図２】本実施の形態にかかる広告配信システムにおける希望者端末及び広告配信サーバの動作とそれらの通信シーケンスを説明する図である。
【図３】希望者端末の構成を説明するブロック図である。
【図４】広告配信サーバの構成を説明するブロック図である。
【図５】広告配信サーバによる広告取得プログラムの生成を説明するための図である。
【図６】希望者端末における広告取得プログラムの動作を説明するフローチャートである。
【図７】本実施の形態にかかる広告配信システムにおける広告配信事業者、広告配信サーバと、広告主、広告主端末と、の通信シーケンス、及び、それらの動作について説明する図である。
【図８】本実施の形態にかかる広告配信システムのビジネスポイントについて示す図である。
【図９】第２の実施形態にかかる広告配信システムにおける希望者端末及び広告配信サーバの動作とそれらの通信シーケンスを説明する図である。
【符号の説明】
１　　　　　　広告配信希望者
１１　　　　希望者端末
１１ａ　　更新タイミング生成部
１１ｂ　　広告情報要求部
１１ｃ　　広告情報表示部
２　　　　　　広告配信事業者
２１　　　　広告配信サーバ
２１ａ　　データ保持部
２１ｂ　　広告情報検索部
２１ｃ　　広告情報送信部
２１ｄ　　広告情報登録部
２５　　　　データベース
３　　　　　　広告主
３１　　　　広告主端末
４　　　　　　携帯電話事業者
４１　　　　インターネットメニュー
２２　　　　広告プログラム格納ＤＢ
２３　　　　位置情報プログラム格納ＤＢ
２４　　　　周期プログラム格納ＤＢ
Ｎ　　　　　　移動通信網
【図１】
2004145614.tif 000003
【図２】
2004145614.tif 000004
【図３】
2004145614.tif 000005
【図４】
2004145614.tif 000006
【図５】
2004145614.tif 000007
【図６】
2004145614.tif 000008
【図７】
2004145614.tif 000009
【図８】
2004145614.tif 000010
【図９】
2004145614.tif 000011